(57)【要約】【課題】遮水性能が十分に高い遮水壁を構築できるとともに、硬質地盤に対しても遮水壁の構築が可能な地中壁掘削機及びこれを用いた遮水壁構築方法を提供すること。【解決手段】本発明に係る地中壁掘削機５０は、地盤を掘削するカッター１２ａと、カッター１２ａが先端部に装着されるカッター保持プレート１２と、複数のカッター保持プレート１２が外周面１０Ｆに立設される回転ドラム１０と、回転ドラム１０が下部に回転自在に設けられる本体部２０とを備え、少なくとも１枚のカッター保持プレート１２は、その長手方向と回転ドラムの回転方向Ｒとのなす角度αが変更自在であることを特徴とする。【選択図】図２
2010248737.tif 000002
【特許請求の範囲】
【請求項１】
地盤を掘削するカッターと、
前記カッターが先端部に装着されるカッター保持プレートと、
複数の前記カッター保持プレートが外周面に立設される回転ドラムと、
前記回転ドラムが下部に回転自在に設けられる本体部とを備え、
少なくとも１枚の前記カッター保持プレートは、当該プレートの長手方向と前記回転ドラムの回転方向とのなす角度が変更自在であることを特徴とする地中壁掘削機。
【請求項２】
前記回転ドラムの近傍に配置され、地上から移送される粉末状のベントナイトを噴射するノズルを更に備えることを特徴とする、請求項１に記載の地中壁掘削機。
【請求項３】
前記回転ドラムの回転に伴って移動する前記カッター保持プレートの側面と離隔した位置に対向面を有し且つ前記本体部に固定されたくし歯プレートを更に備えることを特徴とする、請求項１又は２に記載の地中壁掘削機。
【請求項４】
前記回転ドラムが前記本体部の上部に更に設けられていることを特徴とする、請求項１〜３のいずれか一項に記載の地中壁掘削機。
【請求項５】
請求項１に記載の地中壁掘削機を用いた遮水壁構築方法であって、
少なくとも１枚の前記カッター保持プレートの長手方向が前記回転ドラムの回転方向に対して傾斜するように当該カッター保持プレートが前記回転ドラムに固定された前記地中壁掘削機を下方に移動させ、ベントナイトを含有する水又はベントナイトを含有する固化材又は固化液を掘削孔内に供給しながら地盤を掘削する掘削工程と、
前記地中壁掘削機を引き上げる際、前記回転ドラムを回転させることによって掘削孔内の砂泥とベントナイトとを混合する攪拌工程と、
を備えることを特徴とする遮水壁構築方法。
【請求項６】
請求項２に記載の地中壁掘削機を用いた遮水壁構築方法であって、
少なくとも１枚の前記カッター保持プレートの長手方向が前記回転ドラムの回転方向に対して傾斜するように当該カッター保持プレートが前記回転ドラムに固定された前記地中壁掘削機を下方に移動させて地盤を掘削する掘削工程と、
前記地中壁掘削機を引き上げる際、前記ノズルから粉末状のベントナイトを掘削孔内にベントナイトを供給するとともに、前記回転ドラムを回転させることによって掘削孔内の砂泥とベントナイトとを混合する攪拌工程と、
を備えることを特徴とする遮水壁構築方法。
【発明の詳細な説明】
【技術分野】
【０００１】
本発明は、地中壁掘削機及びこれを用いた遮水壁構築方法に関する。
【背景技術】
【０００２】
廃棄物処分施設や高速道路などの構造物を地下に構築するにあたり、汚染物質の封じ込め又は地下水対策を目的に構造物の周囲に遮水層を形成する場合がある。ベントナイト、セメント及び石灰などの固化材又は固化液と砂泥とを原位置で攪拌・混合して遮水壁を構築する方法について、これまでにも様々な検討がなされている。例えば、チェーンカッター方式の掘削装置を使用するＴＲＤ工法（Trench  Cutting  Re-mixing  Deep  Wall  Method）及び多軸混練オーガ機等を使用するＳＭＷ工法（Soil  Mixing  Wall）が知られている（下記特許文献１，２を参照）。
【先行技術文献】
【特許文献】
【０００３】
【特許文献１】特開２００６−２４９９２９号公報
【特許文献２】特開平１０−３３１１８８号公報
【発明の概要】
【発明が解決しようとする課題】
【０００４】
ところで、上記特許文献１の図８に図示されたようなチェーンカッター方式の掘削機を使用した場合、大深度の施工及び硬質地盤の施工に対する適応性が不十分である点において改善の余地があった。すなわち、チェーンカッターの鉛直方向の長さが限られるため、遮水壁を構築できる深度が限定されるという事情があった。また、硬質地盤に遮水壁を構築する場合、チェーンカッター方式の掘削機の使用に先立ち、オールケーシング岩盤掘削工法（ＣＤ工法）等によって事前に掘削孔を形成するなどの作業が必要であった。
【０００５】
他方、上記特許文献２の図１に図示されたような吊り下げ方式の地中壁掘削機は、深い位置まで掘削することが可能であり、比較的硬質な地盤に対しても適用可能である。しかし、ベントナイトを使用した場合、構築される遮水壁の性能が不十分であるという問題があった。化学反応によって硬化するセメント等と比較すると、ベントナイトと砂泥との混合物は早期に流動性が低下する。このため、高い遮水性能を発揮する遮水壁を構築するには、流動性が低下した状態のベントナイト及び砂泥を十分均一に混合することが要求される。
【０００６】
本発明は、このような実情に鑑みてなされたものであり、遮水性能が十分に高い遮水壁を構築できるとともに、硬質地盤に対しても遮水壁の構築が可能な地中壁掘削機及びこれを用いた遮水壁構築方法を提供することを目的とする。
【課題を解決するための手段】
【０００７】
本発明に係る地中壁掘削機は、地盤を掘削するカッターと、カッターが先端部に装着されるカッター保持プレートと、複数のカッター保持プレートが外周面に立設される回転ドラムと、回転ドラムが下部に回転自在に設けられる本体部とを備え、少なくとも１枚のカッター保持プレートは、当該プレートの長手方向と回転ドラムの回転方向とのなす角度が変更自在であることを特徴とする。
【０００８】
本発明に係る地中壁掘削機は、少なくとも１枚のカッター保持プレートの長手方向と回転ドラムの回転方向とのなす角度を所定の値（例えば、０〜１０°）に変更できるようになっている。角度が変更されたカッター保持プレートを有する回転ドラムを回転させることで、当該カッター保持プレートが攪拌翼として機能し、掘削孔内においてベントナイトと砂泥とを強制的に攪拌できる。このため、本発明の地中壁掘削機によれば、掘削時に供給される液体に含まれるベントナイトと砂泥とを原位置において十分均一に混合でき、十分に高い遮水性能を有する遮水壁を構築できる。
【０００９】
従来の地中壁掘削機のカッター保持プレートは、高い掘削能力を達成する観点から、その長手方向と回転ドラムの回転方向とが一致となるように回転ドラムに立設されている。本発明の地中壁掘削機においては、複数のカッター保持プレートのうち、上記のように角度を変更するカッター保持プレートの枚数及びその角度を適宜設定することで、掘削能力を十分に維持できる。このため、比較的硬い地盤に対しても遮水壁を構築することが可能である。なお、角度を変更するカッター保持プレートの枚数を多くするに従い、また、その角度を大きくするに従い、地中壁掘削装置の掘削能力は低下する傾向にある。
【００１０】
本発明の地中壁掘削機は、回転ドラムの近傍に配置され、地上から移送される粉末状のベントナイトを噴射するノズルを更に備えることが好ましい。このようなノズルを設けることにより、掘削孔内に粉末状のベントナイトを供給できる。粉末状のベントナイトを掘削孔内に供給し、遮水壁におけるベントナイトの含有量を高くすることで、特に優れた遮水性能を有する遮水壁を構築できる。
【００１１】
本発明の地中壁掘削機は、回転ドラムの回転に伴って移動するカッター保持プレートの側面と離隔した位置に対向面を有し且つ本体部に固定されたくし歯プレートを更に備えることが好ましい。上記構成のくし歯プレートを本体部に設けることで、角度が変更されたカッター保持プレートとくし歯プレートとの間において、掘削土やベントナイトの塊を磨り潰すことができ、これらをより一層均一に混合できるという効果が奏される。
【００１２】
本発明の地中壁掘削機は、上記構成の回転ドラムが本体部の上部に更に設けられたものであってもよい。かかる構成を採用することにより、例えば、掘削孔の形成後に転石があっても、本体部の上部の回転ドラムを回転させることで、地中壁掘削機をスムーズに引き上げることができる。また、本体部の下部及び上部にそれぞれ設けられた回転ドラムに角度が変更されたカッター保持プレートを立設し、これらの回転ドラムを回転させることで、掘削孔内においてベントナイト及び砂泥の混合物を対流させることができ、これらを一層均一に混合できる。
【００１３】
本発明の遮水壁構築方法は、上記地中壁掘削機を用いて遮水壁を構築するものである。すなわち、本発明の遮水壁構築方法は、少なくとも１枚のカッター保持プレートの長手方向が回転ドラムの回転方向に対して傾斜するように当該カッター保持プレートが回転ドラムに固定された地中壁掘削機を下方に移動させ、ベントナイトを含有する水又はベントナイトを含有する固化材又は固化液を掘削孔内に供給しながら地盤を掘削する掘削工程と、地中壁掘削機を引き上げる際、回転ドラムを回転させることによって掘削孔内の砂泥とベントナイトとを混合する攪拌工程とを備えることを特徴とする。
【００１４】
本発明の遮水壁構築方法によれば、角度が変更されたカッター保持プレートによってベントナイトと砂泥とを強制的に攪拌できるため、ベントナイトと砂泥とを原位置において十分均一に混合でき、十分に高い遮水性能を有する遮水壁を構築できる。
【００１５】
粉末状のベントナイトを噴射するノズルを備えた地中壁掘削機を使用する場合、本発明の遮水壁構築方法は、以下のような態様であってもよい。すなわち、本発明の遮水壁構築方法は、少なくとも１枚のカッター保持プレートの長手方向が回転ドラムの回転方向に対して傾斜するように当該カッター保持プレートが回転ドラムに固定された地中壁掘削機を下方に移動させて地盤を掘削する掘削工程と、地中壁掘削機を引き上げる際、ノズルから粉末状のベントナイトを掘削孔内にベントナイトを供給するとともに、回転ドラムを回転させることによって掘削孔内の砂泥とベントナイトとを混合する攪拌工程とを備えることを特徴とする。
【００１６】
この遮水壁構築方法によれば、ノズルから掘削孔内に粉末状のベントナイトを供給できるため、遮水壁におけるベントナイトの含有量を高くすることができ、特に優れた遮水性能を有する遮水壁を構築できる。
【発明の効果】
【００１７】
本発明によれば、遮水性能が十分に高い遮水壁を構築できるとともに、硬質地盤に対しても遮水壁の構築が可能である。
【図面の簡単な説明】
【００１８】
【図１】本発明に係る地中壁掘削機の実施形態を示す正面図である。
【図２】図１に示した地中壁掘削機が地盤を掘削する様子を示す断面図である。
【図３】図１に示した地中壁掘削機の下部の構成を示す正面図である。
【図４】図１に示した地中壁掘削機の下部の構成を示す側面図である。
【図５】回転ドラムの外周面を平面に展開した状態を示す模式図である。
【図６】角度を変更自在のカッター保持プレートの構成を示す正面図である。
【図７】角度を変更自在のカッター保持プレート及びくし歯プレートを示す模式図である。
【図８】（ａ）〜（ｄ）はノズルの形状をそれぞれ示す図である。
【図９】本発明に係る地中壁掘削機の他の実施形態を示す斜視図である。
【発明を実施するための形態】
【００１９】
以下、図面を参照しつつ本発明の好適な実施形態について詳細に説明する。
【００２０】
＜地中壁掘削機＞
図１に示すように、地中壁掘削機５０は、複数の回転ドラム１０及びこれらが回転自在に設けられる本体部２０等を備える。地中壁掘削機５０は、車両５１の上方に伸びるアーム５２から吊り下げられ、鉛直方向に移動可能となっている。図２に示すように、地中壁掘削機５０は、自重によって地盤を所定の深度まで掘削する。一定の箇所において掘削が終了すると、車両５１を一定距離移動させ、再度掘削を行うことで連続的な遮水壁１を構築できるようになっている。地中壁掘削機５０は、いわゆる水平多軸連続地中壁掘削機として使用できる。
【００２１】
図３及び図４は、本体部２０の下部及び当該箇所に回転自在に設けられた回転ドラム１０を示す正面図及び側面図である。図３に示すように、回転ドラム１０は、その外周面１０Ｆに立設された複数のカッター保持プレート１２を備える。また、図４に示すように、本体部２０の前方及び後方にそれぞれ回転ドラム１０が設けられ、本体部２０の下部には計４個の回転ドラム１０が設けられている。回転ドラム１０の外周面１０Ｆには、回転軸方向に３列でカッター保持プレート１２がそれぞれ立設されており、各列に４枚ずつ計１２枚のカッター保持プレート１２が立設されている（図５を参照）。なお、カッター保持プレート１２の先端部は、カッター１２ａを装着できるようになっている。
【００２２】
図５は、回転ドラム１０の外周面１０Ｆを平面に展開した状態を示す模式図である。同図に示すように、１２枚のカッター保持プレート１２のうち、一部のカッター保持プレートはその長手方向と回転ドラム１０の回転方向（図５の矢印Ｒの方向）とのなす角度が変更自在である。なお、上記角度が変更自在のカッター保持プレート１２について、図５〜７においてはカッター保持プレート１２Ａと表記する。
【００２３】
図６は、カッター保持プレート１２Ａの構成を示す正面図である。同図に示すように、カッター保持プレート１２Ａは、回転ドラム１０の外周面１０Ｆに設けられた円柱状のピン１１が挿入される孔１３を下面に有し、当該箇所を中心として角度（図７に示す角度α）を所定の範囲で任意に変更できるようになっている。また、図６に示すように、カッター保持プレート１２Ａは、ボルト１４を締め付けることによって、固定部材１５，１６を介して回転ドラム１０の外周面１０Ｆに固定される。図７に示すように、固定部材１６及びカッター保持プレート１２Ａの固定部材１６との当接面には、それぞれ溝が形成されており、両者が嵌合することによって、角度αを設定できるようになっている。
【００２４】
カッター保持プレート１２Ａの長手方向と回転ドラム１０の回転方向Ｒとのなす角度αは、１〜１０°であることが好ましく、２〜６°であることがより好ましい。角度αが１°未満であると、カッター保持プレート１２Ａの攪拌力が不十分となりやすく、１０°を越えると、掘削能力が不十分となりやすい。また、全カッター保持プレートのうち、１／３〜１／２程度についてカッター保持プレート１２Ａ（攪拌翼として機能するカッター保持プレート）とすることが好ましい。角度が変更されたカッター保持プレート１２Ａを有する回転ドラム１０を回転させることで、掘削孔内において固化材と砂泥とを強制的に攪拌できる。すなわち、地中壁掘削機５０の左右方向及び掘削孔の壁面の方向に向けた掘削土砂の移動が促進され、高い遮水性能を有する遮水壁の構築が可能となる。
【００２５】
図５に示すように、列によってカッター保持プレート１２Ａを傾斜させる方向を変えてもよい。例えば、図５に示した設定の場合、回転ドラム１０がＲ方向に回転したとき、左側の列のカッター保持プレート１２Ａは右方向に流れを生じさせ、中央及び右側の列のカッター保持プレート１２Ａは、左方向に流れを生じさせる。かかる構成を採用することにより、掘削孔内においてベントナイト及び土砂をより一層均一に混合できるという利点がある。
【００２６】
なお、全カッター保持プレートについて、図６に示す構成を採用し、遮水層の要求性能や地盤の硬度等に応じて各カッター保持プレート１２Ａの角度αを０〜１０°程度の範囲に適宜設定してもよい。カッター保持プレート１２Ａの枚数及びその角度を適宜設定することで、地中壁掘削機５０の掘削能力を十分に維持できる。このため、比較的硬い地盤に対しても遮水壁を構築することが可能である。また、カッター保持プレート１２の列及び枚数は、上記の３列及び１２枚に限定されるものではない。例えば、構築すべき遮水壁１の壁厚に応じて３〜６列に適宜変更することができ、一つの回転ドラム１０に最大２４枚のカッター保持プレート１２を立設してもよい。
【００２７】
地中壁掘削機５０は、図１に示すように、上記構成の回転ドラム１０が本体部２０の上部にも設けられている。本体部２０の上部にも複数の回転ドラム１０を設けることで、掘削孔の形成後に直径２００ｍｍ程度の転石があっても、本体部２０の上部の回転ドラム１０を回転させることで、地中壁掘削機５０をスムーズに引き上げることができる。また、本体部２０の下部及び上部にそれぞれ設けられた回転ドラム１０にカッター保持プレート１２Ａを立設し、これらの回転ドラム１０を回転させることで、掘削孔内において固化材及び砂泥の混合物を対流させることができ、これらを一層均一に混合できる。
【００２８】
図３に示すように、本体部２０の下部に設けられた回転ドラム１０の近傍、すなわち、本体部２０の中央付近であり且つ回転ドラム１０の上方に、地上のベントナイトサイロ（図示せず）から移送される粉末状のベントナイトを噴射するノズル３０が配設されている。かかる位置にノズル３０を設けることにより、掘削孔内に粉末状のベントナイトを供給できる。粉末状のベントナイトを掘削孔内に供給し、遮水壁におけるベントナイトの含有量を高くすることで、特に優れた遮水性能を有する遮水壁を構築できる。ノズル３０による粉体の噴射は、図８（ａ）のような筒状のものを使用した中央噴射方式に限られず、砂泥と効率的に混合させる観点から、図８（ｂ）〜（ｄ）のように平面噴射方式や複数開口同時噴射方式を採用してもよい。ノズル３０は、地盤の硬度に応じて選択してもよく、硬質地盤を掘削する場合は礫による破損を防止するため、図８（ａ）のような構成を採用することが好ましく、軟弱地盤を掘削する場合は、図８（ｂ）〜（ｄ）のような構成を採用することが好ましい。
【００２９】
また、地中壁掘削機５０は、図４，７に示すように、回転ドラム１０の回転に伴ってＲ方向に移動するカッター保持プレート１２Ａの側面と離隔した位置に対向面４０Ｆを有し且つ本体部２０に固定されたくし歯プレート４０を更に備える。かかる構成のくし歯プレート４０を本体部２０に設けることで、図７に示すように、カッター保持プレート１２Ａとくし歯プレート４０との間において、掘削土や固化材の塊を磨り潰すことができ、これらをより一層均一に混合できるという効果が奏される。
【００３０】
＜遮水壁の構築方法＞
次に、地中壁掘削機５０を用いて遮水壁を構築する方法について説明する。本実施形態に係る遮水壁構築方法は、上記構成の地中壁掘削機５０を下方に移動させベントナイトを含有する水又は、ベントナイトを含有する固化材又は固化液を掘削孔内に供給しながら地盤を掘削する掘削工程と、掘削工程後、地中壁掘削機５０を引き上げる際、ノズル３０から粉末状のベントナイトを掘削孔内にベントナイトを供給するとともに、４つの回転ドラム１０を回転させることによって掘削孔内の砂泥とベントナイトとを混合する攪拌工程とを備える。なお、固化材又は固化液としては、ベントナイトを含有するものを使用することができ、セメント、石灰、フライアッシュ、及びスラグなどを更に含有するものを使用してもよい。ベントナイトとしては、ベントナイト原鉱石から製造したものが挙げられる。
【００３１】
掘削工程においては、ベントナイトを含有する水を空気とともに掘削孔内に供給しながら、掘削を行う。地中壁掘削機５０によれば、深度６０ｍ程度まで掘削することができる。所定の深度まで掘削が終了すると、回転ドラム１０を回転数２０〜３０回／分程度で回転させながら、地中壁掘削機５０を引き上げる。地中壁掘削機５０を引き上げる速度は、１５〜３５ｃｍ／分程度とすることが好ましい。引上げ速度が過度に速いとベントナイトと砂泥との混合が不十分となる傾向にあり、他方、過度に遅いと作業効率が低下する傾向にある。このような掘削工程及び攪拌工程からなる一連の工程を繰り返し実施することで、所定の幅の遮水壁１を地中に構築できる。
【００３２】
本実施形態に係る遮水壁構築方法によれば、カッター保持プレート１２Ａが攪拌翼として機能し、ベントナイトと砂泥とを強制的に攪拌できるため、ベントナイトと砂泥とを原位置において十分均一に混合できる。また、攪拌工程において、ノズル３０から掘削孔内に粉末状のベントナイトを供給することにより、遮水壁におけるベントナイトの含有量を高くすることができ、特に優れた遮水性能を有する遮水壁１を構築できる。
【００３３】
以上、本発明の好適な実施形態について詳細に説明したが、本発明は上記実施形態に限定されるものではない。例えば、上記実施形態においては、吊り下げ方式の地中壁掘削機５０を例示したが、本発明は図９に示すような押し込み式の地中壁掘削機であってもよい。図９に示す地中壁掘削機６０は、複数のカッター保持プレート１２を外周面に有する回転ドラム１０、複数の回転ドラム１０が回転自在に設けられる本体部６２、及び、この本体部６２が下端に設けられるロッド６４等を備える。なお、複数のカッター保持プレート１２のうち、その一部は角度αが変更自在であり、攪拌翼として機能するカッター保持プレート（カッター保持プレート１２Ａ）である（図７参照）。ロッド６４は、車両７０が有する支柱７２に対して鉛直方向に移動可能となっており、ロッド６４を介して本体部６２を地盤に押し込むことによって、掘削孔を形成できるようになっている。地中壁掘削機６０を引き上げる際、回転ドラム１０を回転させることで、上記実施形態に係る地中壁掘削機５０と同様、ベントナイトと砂泥とを十分均一に混合でき、高い遮水性能を有する遮水壁を構築できる。一定の箇所において地中壁掘削機６０による掘削が終了すると、車両６５を一定距離移動させ、再度掘削を行うことで連続的な遮水壁を構築できる。
【００３４】
また、上記実施形態においては、特に好ましい例として、ノズル３０を備える地中壁掘削機を例示したが、ベントナイト含有量が低い遮水壁を形成する場合にあっては、地中壁掘削機はノズル３０を具備しないものを使用してもよい。
【００３５】
更に、角度αを設定する機構として、固定部材１５，１６を例示したが、回転ドラム１０に対してカッター保持プレート１２Ａを十分に固定できるものであれば、どのような機構を採用してもよい。更に、回転ドラム１０の外周面１０Ｆに設けるカッター保持プレート１２，１２Ａの枚数は、上記実施形態に限定されるものではなく、掘削深度や地盤強度等に応じて適宜設定すればよい。
【００３６】
＜評価試験＞
（掘削能力の評価）
本発明者らは、上記実施形態に地中壁掘削機の掘削能力について評価を行った。従来の地中壁掘削機（チェーンカッター方式）は、Ｎ値１００（１軸圧縮強度５Ｎ／ｍｍ２）を超える強度の地盤に対しては適用することは困難であった。これに対し、地中壁掘削機５０と同様の構成の掘削機によれば、Ｎ値１００（１軸圧縮強度３０Ｎ／ｍｍ２）を超える強度の地盤であっても遮水壁を構築することができた。
【００３７】
（攪拌力の評価）
外周面に８枚のカッター保持プレートを有する回転ドラム（模型）を作製した。この回転ドラムを収容する容器を準備し、容器の外側から手動で回転ドラムを回転させることができるようにレバーを取り付けた。容器内に試料土（１５Ｌ）及び顔料を投入した後、約２分間にわたり回転ドラムを約２０回／分の回転数で回転させた。攪拌・混合処理後の試料土の着色の程度を目視により観察した。また、顔料の代わりにベントナイト粉体を容器内に投入したことの他は、上記の方法と同様にして試料土とベントナイトとを攪拌・混合した後、処理後に容器内の数箇所から試料土を採取した。ベントナイトとの混合処理後の試料土のフロー値をＪＩＳ  Ｒ５２０１に記載の方法に準拠して測定した。すなわち、まず、モルタルフロー試験器の表面にフローコーン（上部内径７０ｍｍ、下部内径１００ｍｍ、高さ６０ｍｍ）を載置し、このフローコーン内に試料土を充填した。その後、フローコーンを引き上げた後にフローテーブルに１５回の落下運動を与えた。フローテーブル上に広がった試料土の直角２方向の直径を測定し、その平均値をフロー値とした。表１にベントナイトを配合する前の試料土のフロー値、並びに、ベントナイトの配合後におけるフロー値のばらつきの有無を示す。
【００３８】
【表１】
2010248737.tif 000003
【符号の説明】
【００３９】
１…遮水壁、１０…回転ドラム、１０Ｆ…回転ドラムの外周面、１２，１２Ａ…カッター保持プレート、１２ａ…カッター、２０，６２…本体部、３０…ノズル、４０…くし歯プレート、５０，６０…地中壁掘削機、Ｒ…回転方向、α…角度。
【図１】
2010248737.tif 000004
【図２】
2010248737.tif 000005
【図３】
2010248737.tif 000006
【図４】
2010248737.tif 000007
【図５】
2010248737.tif 000008
【図６】
2010248737.tif 000009
【図７】
2010248737.tif 000010
【図８】
2010248737.tif 000011
【図９】
2010248737.tif 000012